(57)【要約】  電子機器分野に関し、特に自撮り装置に関する。自撮り装置は、自撮り棒とホルダを備え、前記自撮り棒は、伸縮スティックと、伸縮スティックの頂部に固定される接続ヘッドと、前記接続ヘッドに回転可能に接続されるコネクタと、を備え、前記ホルダは、ベースと、ベースに回転可能に接続されるブラケットとを備え、当該ベースに、前記コネクタを脱着可能に接続するためのコネクタ溝が設けられている。当該自撮り装置は、自撮り棒のコネクタを直接ホルダに係合させることにより、ホルダを自撮り棒に固定する。当該ホルダは、携帯電話又は携帯電話ケースに装着することができる。当該コネクタを一定の角度に湾曲させると、携帯電話も回転させることができるため、様々な角度での自撮りを実現できる。両者を合わせて使用すると、人々の操作が容易になり、構成がシンプルで、メンテナンスが容易に行うことになる。【選択図】図１
2019537038.tif 000002
【特許請求の範囲】
【請求項１】
自撮り棒（１００）とホルダ（２００）とを備える自撮り装置であって、
前記自撮り棒（１００）は、伸縮スティック（１１０）と、伸縮スティック（１１０）の頂部に固定される接続ヘッド（１２０）と、前記接続ヘッド（１２０）に回転可能に接続されるコネクタ（１３０）と、を備え、
前記ホルダ（２００）は、ベース（２１０）と、ベース（２１０）に回転可能に接続されるブラケット（２２０）とを備え、前記ベース（２１０）に、前記コネクタ（１３０）を脱着可能に接続するためのコネクタ溝（２１１）が設けられている
ことを特徴とする自撮り装置。
【請求項２】
前記ホルダ（２００）は、コネクタ（１３０）をロックするためのロック装置（２０１）を備えることを特徴とする請求項１に記載の自撮り装置。
【請求項３】
前記ベース（２１０）に前記ロック装置（２０１）を装着するための装着部（２０２）が設けられ、
前記ロック装置（２０１）は、ロック部材（２４２）と、ロック部材（２４２）とベース（２１０）との間に設けられる弾性部材（２４１）とを備える
ことを特徴とする請求項２に記載の自撮り装置。
【請求項４】
前記ロック部材（２４２）は、押圧部（２４２１）と、コネクタ（１３０）とを係合するための係合部（２４２２）とを備え、
前記コネクタ（１３０）の一端部に前記係合部（２４２１）に対応する第１係合溝（１３１）が設けられている
ことを特徴とする請求項３に記載の自撮り装置。
【請求項５】
前記コネクタ溝（２１１）に少なくとも１つの位置決め突起（２１１１）が設けられ、
前記コネクタ（１３０）に前記位置決め突起（２１１１）に対応する第２係合溝（１３２）が設けられている
ことを特徴とする請求項１に記載の自撮り装置。
【請求項６】
前記コネクタ（１３０）は、前記第１係合溝（１３１）が設けられたガイド部（１３３）を備えることを特徴とする請求項４に記載の自撮り装置。
【請求項７】
前記ホルダ（２００）は、接続部材（２３０）を備え、
前記ベース（２１０）に接続部材（２３０）を収容する切り欠きが設けられ、
前記ブラケット（２２０）は、接続部材（２３０）を貫通し、接続部材（２３０）を中心に回転及び／又は反転する
ことを特徴とする請求項１乃至６のいずれか一つに記載の自撮り装置。
【請求項８】
前記ベース（２１０）に、前記ブラケット（２２０）の大きさ及び形状に対応する収納溝（２５０）が設けられていることを特徴とする請求項７に記載の自撮り装置。
【請求項９】
前記自撮り棒（１００）は、前記コネクタ（１３０）と接続ヘッド（１２０）との回転接続位置に設けられる締付け部材（１２１）を備える
ことを特徴とする請求項１乃至６のいずれか一つに記載の自撮り装置。
【請求項１０】
自撮り棒（１００）とホルダ（２００）を備える自撮り装置であって、
前記自撮り棒（１００）は、伸縮スティック（１１０）と、伸縮スティック（１１０）の頂部に固定される接続ヘッド（１２０）と、前記接続ヘッド（１２０）に回転可能に接続されるコネクタ（１３０）とを備え、
前記ホルダ（２００）は、ベース（２１０）と、ベース（２１０）に回転可能に接続されるブラケット（２２０）とを備え、当該ベース（２１０）に前記コネクタ（１３０）を脱着可能に接続するためのコネクタ溝（２１１）が設けられ、
前記ホルダ（２００）は、コネクタ（１３０）をロックするためのロック装置（２０１）を備え、
前記ロック装置（２０１）は、ロック部材（２４２）と、ロック部材（２４２）とベース（２１０）との間に設けられる弾性部材（２４１）とを備え、
前記ロック部材（２４２）は、押圧部（２４２１）と、コネクタ（１３０）と係合するための係合部（２４２２）とを備え、
前記コネクタ（１３０）にガイド部（１３３）が設けられ、前記ガイド部（１３３）に前記係合部（２４２１）に対応する第１係合溝（１３１）が設けられ、
前記コネクタ溝（２１１）に少なくとも１つの位置決め突起（２１１１）が設けられ、
前記コネクタ（１３０）に前記位置決め突起（２１１１）に対応する第２係合溝（１３２）が設けられている
ことを特徴とする自撮り装置。
【発明の詳細な説明】
【技術分野】
【０００１】
本発明は、電子機器分野に関し、特に自撮り装置に関する。
【背景技術】
【０００２】
撮影機材の発展に伴い、カメラやビデオカメラは、人々の生活エピソードを記録する便利な機器として、日常生活において幅広く使われている。特に、写真やビデオを撮影する機能を有する携帯電話が普及しつつあり、人々は随時写真やビデオを撮影することができるようになった。
【０００３】
人々は携帯電話で自撮りするとき、通常、自撮り棒に携帯電話を固定して、補助撮影を行う。自撮り棒は一定の長さの範囲内で任意に伸縮できるので、使用者は自撮り棒にあるシャッターキーを押せば、様々な角度での自撮りを実現することができる。しかし、多くの人は携帯電話ケースを使用して携帯電話をカバーしており、市販の携帯電話ケースでは機能が単一なため、ユーザの多くのニーズは満たされていない。
【０００４】
また、従来の自撮り棒は、挟持ヘッドで携帯電話をしっかりと挟持する必要があり、挟持する箇所で携帯電話を傷つけやすい。また、挟持ヘッドは携帯電話より小さいため、大きな力で挟持ヘッドを引き離して挟持ヘッドの間に携帯電話を置く必要があり、手間がかかる。
【０００５】
このため、自撮り棒と携帯電話ケースとを合わせて使用でき、構成がシンプルで、操作が容易な自撮り装置を提供することは、今まで当業者が主として検討してきた課題の１つである。
【発明の概要】
【発明が解決しようとする課題】
【０００６】
本発明は、従来技術の上記問題を鑑みて、自撮り棒と携帯電話ケースとを合わせて使用できない問題を解決することのできる自撮り装置を提供することを目的とする。
【課題を解決するための手段】
【０００７】
上記技術課題を解決するために、本発明は、自撮り棒とホルダとを備える自撮り装置であって、前記自撮り棒は、伸縮スティックと、伸縮スティックの頂部に固定される接続ヘッドと、前記接続ヘッドに回転可能に接続されるコネクタと、を備え、前記ホルダは、ベースと、ベースに回転可能に接続されるブラケットとを備え、当該ベースに、前記コネクタを脱着可能に接続するためのコネクタ溝が設けられていることを特徴とする。
【０００８】
また、好ましくは、前記ホルダは、コネクタをロックするためのロック装置を更に備えることを特徴とする。
【０００９】
また、好ましくは、前記ベースに前記ロック装置を装着するための装着部が設けられ、前記ロック装置は、ロック部材と、ロック部材とベースとの間に設けられる弾性部材とを備えることを特徴とする。
【００１０】
また、好ましくは、前記ロック部材は、押圧部と、コネクタとを係合するための係合部とを備え、前記コネクタの一端部に前記係合部に対応する第１係合溝が設けられていることを特徴とする。
【００１１】
また、好ましくは、前記コネクタ溝に少なくとも１つの位置決め突起が設けられ、前記コネクタに前記位置決め突起に対応する第２係合溝が設けられていることを特徴とする。
【００１２】
また、好ましくは、前記コネクタは、前記第１係合溝が設けられたガイド部を備えることを特徴とする。
【００１３】
また、好ましくは、前記ホルダは、接続部材を更に備え、前記ベースに接続部材を収容する切り欠きが設けられ、前記ブラケットは、接続部材を貫通し、接続部材を中心に回転及び／又は反転することを特徴とする。
【００１４】
また、好ましくは、前記ベースに、前記ブラケットの大きさ及び形状に対応する収納溝が設けられていることを特徴とする。
【００１５】
また、好ましくは、前記自撮り棒は、前記コネクタと接続ヘッドとの回転接続位置に設けられる締付け部材を更に備えることを特徴とする。
【００１６】
本発明は、自撮り棒とホルダを備える自撮り装置であって、前記自撮り棒は、伸縮スティックと、伸縮スティックの頂部に固定される接続ヘッドと、前記接続ヘッドに回転可能に接続されるコネクタとを備え、前記ホルダは、ベースと、ベースに回転可能に接続されるブラケットとを備え、当該ベースに前記コネクタを脱着可能に接続するためのコネクタ溝が設けられ、前記ホルダは、コネクタをロックするためのロック装置を更に備え、前記ロック装置は、ロック部材と、ロック部材とベースとの間に設けられる弾性部材とを備え、前記ロック部材は、押圧部と、コネクタとを係合するための係合部とを備え、前記コネクタにガイド部が設けられ、前記ガイド部に前記係合部に対応する第１係合溝が設けられ、前記コネクタ溝に少なくとも１つの位置決め突起が設けられ、前記コネクタに前記位置決め突起に対応する第２係合溝が設けられている。
【発明の効果】
【００１７】
本発明の有益な効果は、以下の通りである。従来技術に比べて、本発明は、自撮り装置において、自撮り棒のコネクタを直接ホルダに係合させることにより、ホルダを自撮り棒に固定するように構成されている。当該ホルダは、携帯電話又は携帯電話ケースに装着することができる。当該コネクタを一定の角度に湾曲させると、携帯電話も回転させることができるため、様々な角度での自撮りを実現することができる。両者を合わせて使用すると、操作が容易になり、構成がシンプルで、メンテナンスが容易に行われる。
【００１８】
以下、図面と実施形態とを合わせて参照し、本発明を更に説明する。
【図面の簡単な説明】
【００１９】
【図１】本発明の一実施形態における自撮り装置の右側面図である。
【図２】本発明の一実施形態における自撮り装置の平面図である。
【図３】本発明の一実施形態における自撮り装置の部分分解図である。
【図４】本発明の一実施形態におけるロック装置の模式図である。
【図５】本発明の一実施形態における収縮状態の自撮り棒の模式図である。
【図６】本発明の一実施形態における伸長状態の自撮り棒の模式図である。
【図７】本発明の一実施形態における自撮り棒の平面図である。
【発明を実施するための形態】
【００２０】
以下、図面を参照して、本発明の好ましい実施形態を詳しく説明する。
【００２１】
図１乃至図７に示すように、本発明は、自撮り装置の好ましい実施形態を提供する。
【００２２】
自撮り装置は、自撮り棒１００とホルダ２００とを備える。自撮り棒１００は、伸縮スティック１１０と、伸縮スティック１１０の頂部に固定される接続ヘッド１２０と、接続ヘッド１２０に回転可能に接続されるコネクタ１３０とを備える。ホルダ２００は、ベース２１０と、ベース２１０に回転可能に接続されるブラケット２２０とを備え、当該ベース２１０にコネクタ１３０を脱着可能に接続するためのコネクタ溝２１１が設けられている。コネクタ１３０をコネクタ溝２１１に挿入することにより、自撮り棒１００とホルダ２００とを固定して接続する。ホルダ２００は、携帯電話（又はその他の撮影装置）の裏面、又は携帯電話ケースの裏面に直接設けてもよく、また、単独で携帯電話を支持する通常のサポータとして使用してもよい。ブラケット２２０は、環状又はその他の形状でもよいが、本実施形態においては、環状のブラケット２２０だけを例として説明する。
【００２３】
具体的には、ホルダ２００は、自撮り棒１００をロックするためのロック装置２０１を備える。
【００２４】
更に、ベース２１０に、ロック装置２０１を装着するための装着部２０２が設けられている。ロック装置２０１は、ロック部材２４２と、ロック部材２４２とベース２１０との間に設けられる弾性部材２４１とを備える。
【００２５】
更に、本実施形態における装着部２０２は、ベース２１０の中心部に設けられる穴である。ロック部材２４２は、押圧部２４２１と、コネクタ１３０とを係合するための係合部２４２２とを備える。コネクタ１３０の一端部に、コネクタ１３０を貫通し係合部２４２２に対応する第１係合溝１３１が設けられている。係合部２４２２が第１係合溝１３１に挿嵌されると、コネクタ１３０の挿着方向における移動を防止できる。押圧部２４２１は、ボタン２４２１１、頂板２４２１２、接続板２４２１３及び底板２４２１４を備える。当該頂板２４２１２と底板２４２１４とは、接続板２４２１３を介して接続されている。当該ボタン２４２１１は、ベース２１０及び頂板２４２１２を貫通し、前記穴から突出する。図４に示すように、弾性部材２４１は、ボタン２４２１１を囲んで頂板２４２１２の下面に位置する。押圧部２４２１を押し続けて押下させた状態で、コネクタ１３０をコネクタ溝２１１に挿入する。そして、押圧部２４２１を放すと、弾性部材２４１の弾性力により押圧部２４２１が上がり、当該係合部２４２２が第１係合溝１３１に係合することにより、コネクタ１３０はコネクタ溝２１１に固定される。また、再度押圧部２４２１を押し続けて押下させた状態で、コネクタ１３０をコネクタ溝２１１から抜き出す。そして、押圧部２４２１を放すと、弾性部材２４１の弾性力により押圧部２４２１が上がり、元に戻る。また、係合部２４２２は一定の傾斜度を有することが好ましい。これにより、コネクタ１３０をコネクタ溝２１１に挿入する際に、押圧部２４２１を押す必要がなく、スムーズに挿入できる。
【００２６】
また、ボタン２４２１１、頂板２４２１２、接続板２４２１３、底板２４２１４及び係合部２４２２は一体成形され、弾性部材２４１はスプリングである。
【００２７】
具体的には、コネクタ溝２１１に、少なくとも１つの位置決め突起２１１１が設けられ、当該コネクタ１３０の一端部に、第１係合溝１３１の設置方向とは異なる方向に少なくとも１つの第２係合溝１３２が設けられ、当該位置決め突起２１１１は第２係合溝１３２に対応して設けられている。コネクタ１３０はコネクタ溝２１１に挿入されるとき、位置決め突起２１１１に対応してコネクタ溝２１１に固定されるため、コネクタ１３０が挿入方向に垂直な方向に沿って移動することを防止できる。当該第１係合溝１３１と第２係合溝１３２は、それぞれ係合部２４２２と位置決め突起２１１１に対応して使用されることにより、自撮り棒１００とホルダ２００とを固定して接続する。位置決め突起２１１１と第２係合溝１３２とは対応してそれぞれ２つ設けることが好ましい。
【００２８】
また、第１係合溝１３１は、コネクタ１３０の端面に平行に設けられ、第２係合溝１３２は、第１係合溝１３１に垂直に設けられている。係合部２４２２と位置決め突起２１１１がそれぞれ第１係合溝１３１と第２係合溝１３２に挿嵌されると、コネクタ１３０は任意の方向へ移動できず、自撮り棒１００とホルダ２００との固定接続に役立つとともに、美観性も向上させることができる。
【００２９】
更に、図７に示すように、コネクタ１３０は、第１係合溝１３１が設けられるガイド部１３３を備える。当該ガイド部１３３の一端部に、傾斜面が形成されている。コネクタ１３０をホルダ２００に挿入するとき、当該ガイド部１３３がガイドの役割を果たし、傾斜面の位置でコネクタ１３０を止めるので、ホルダ２００への過挿入を防止し、コネクタ溝２１１とコネクタ１３０との固定接続に役立つ。
【００３０】
更に、コネクタ溝２１１にキャビティ２１１２が設けられ、位置決め突起２１１１は、キャビティ２１１２の縁部に垂直に設けられている。押圧部２４２１を押し下げて、底板２４２１４がキャビティ２１１２に挿嵌する。
【００３１】
更に、キャビティ２１１２に支持板２１１３が延設され、位置決め突起２１１１は支持板２１１３に設けられている。当該支持板２１１３の一端部は一定の傾斜度を有するため、コネクタ溝２１１への自撮り棒１００の挿入に役立つ。
【００３２】
本実施形態において、ホルダ２００は、接続部材２３０を備え、ベース２１０に接続部材２３０を収容する切り欠きが設けられている。ブラケット２２０は接続部材２３０を貫通する。当該接続部材２３０は、回転することができるとともに、ブラケット２２０を回転させることもできる。当該ブラケット２２０は、接続部材２３０を中心に回転及び反転することができる。または、当該ブラケット２２０は、接続部材２３０を中心に回転することだけでき、或いは、接続部材２３０を中心に反転することだけできる。
【００３３】
また、ベース２１０に、ブラケット２２０の大きさ及び形状に対応する収納溝２５０が設けられている。ブラケット２２０は円形状に形成することが好ましい。これにより、美観性を向上させるとともに、ユーザは容易にブラケット２２０を利用して携帯電話を把持できる。また、収納溝２５０も円形支持台形状に形成され、円形状のブラケット２２０を収納溝２５０に重ねることに寄与する。無論、ブラケット２２０や収納溝２５０は、いずれもその他の形状に形成してもよく、ここには逐一挙げない。
【００３４】
具体的に、図１に示すように、自撮り棒１００において、コネクタ１３０は、挿着位置に凹溝１３４が形成されている。ユーザが自撮り操作を行うとき、携帯電話は凹溝１３４に当接している。使用中に衝撃が発生した場合、凹溝１３４が携帯電話に対して一定の緩和機能を果たし、携帯電話への損傷を防止できるとともに、携帯電話を自撮り棒１００に確実に固定できる。
【００３５】
更に、自撮り棒は、コネクタ１３０と接続ヘッド１２０との回転接続位置に設けられた締付け部材１２１を備える。コネクタ１３０の後端は凸型構造として形成され、接続ヘッド１２０の頂端は凹型構造として形成されており、当該凸型構造と当該凹型構造は互いに係合する。コネクタ１３０及び接続ヘッド１２０には、それぞれ締付け孔が設けられている。接続ヘッド１２０は、締付け孔に対応する締付け部材１２１を備える。コネクタ１３０の後端を接続ヘッド１２０の頂端に挿入し、締付け部材１２１を締付け孔に貫通させることにより締付け固定を行う。締付け部材１２１を回転させることにより、コネクタ１３０と接続ヘッド１２０との締付け状態を解除でき、コネクタ１３０の湾曲角度、すなわち、携帯電話の自撮り角度を調整できるので、携帯電話の様々な角度での自撮りを実現することができる。さらに、締付け部材１２１を再度回転させることにより、コネクタ１３０と接続ヘッド１２０とを締付けることができるので、コネクタ１３０の回転による携帯電話の自撮り操作への影響を抑えることができる。また、締付け部材１２１を緩めた後、接続ヘッド１２０からコネクタ１３０を取り外すことができるので、メンテナンスが容易である。
【００３６】
更に、伸縮スティックの下部にハンドル部１１１が設けられ、当該ハンドル部にシャッターボタン１１１１が設けられる。ユーザは、携帯電話と自撮り棒とを電気接続した後、シャッターボタン１１１１を押せば、自撮り操作を実現することができる。ハンドル部１１１はアルミ材質からなることが好ましく、これは、構造が固く、損傷し難いためである。
【００３７】
また、自撮り棒は、一端部がシャッターボタン１１１１に接続され且つ他端部に導電コンタクトが設けられるシャッター線１２２を備える。接続ヘッド１２０に、シャッター線１２２の導電コンタクトを挿着するためのシャッター線ポートが設けられている。使用の際に、当該シャッター線１２２の導電コンタクトをシャッター線ポートに挿入し、他端部を携帯電話ポートに挿入することにより、携帯電話と自撮り棒とを電気的に接続させることができる。
【００３８】
本発明は、さらに自撮り装置の他の好ましい実施形態を提供する。
【００３９】
具体的には、自撮り棒１００は、伸縮スティック１１０と、伸縮スティック１１０の頂部に固定される接続ヘッド１２０と、接続ヘッド１２０に回転可能に接続されるコネクタ１３０とを備える。ホルダ２００は、ベース２１０と、ベース２１０に回転可能に接続されるブラケット２２０とを備え、当該ベース２１０に自撮り棒１００を接続するためのコネクタ溝２１１が設けられている。コネクタ１３０をコネクタ溝２１１に挿入することにより、自撮り棒１００とホルダ２００との固定接続を行う。
【００４０】
更に、コネクタ１３０に磁気部材が設けられ、コネクタ溝２１１に、コネクタ１３０における磁気部材と逆極性の磁気部材が設けられている。これにより、ユーザが、自撮り操作を行うために、コネクタ溝２１１にコネクタ１３０を挿入すると、磁気吸引の原理により、自撮り棒１００がホルダ２００にしっかりと接続される。
【００４１】
本発明は、さらに携帯電話ケース３００の好ましい実施形態を提供する。
【００４２】
図１と図２に示すように、携帯電話ケース３００の表面にホルダ２００が設けられている。当該ホルダ２００を、高接着性物質により携帯電話ケース３００に固定してもよいし、その他の方式により携帯電話ケース３００に固定してもよく、ここでは限定しない。
【００４３】
本発明は、携帯電話ケース３００の他の好ましい実施形態を提供する。
【００４４】
具体的には、図３に示すように、携帯電話ケース３００にキャビティ２１１２が設けられ、支持板２１１３、位置決め突起２１１１及び携帯電話ケース３００が一体的に成形されている。携帯電話ケース３００の表面に、複数の固定溝３１０が設けられ、ベース２１０と接続部材２３０とは、固定溝３１０により携帯電話ケース３００の表面に固定接続されている。
【００４５】
上記の実施形態において、図１と図２に示すように、携帯電話ケース３００には、携帯電話の規格に応じて、対応する位置にカメラ穴３２０とフラッシュ穴３３０が設けられており、携帯電話の自撮り操作が容易に行われる。当該携帯電話ケース３００には、シャッター線用穴３４０が設けられるので、携帯電話ケース３００が自撮り棒１００に固定されたときに、携帯電話ポートへの自撮り棒１００のシャッター線１２２の挿入が容易に行われる。
【００４６】
上記内容は、本発明の好ましい実施形態を示すだけであり、本発明の保護範囲を限定するものではない。本発明の思想及び原則の範囲内に行われる修正、均等な置き換え、変更等は、いずれも本発明の保護範囲内に該当するものとする。
【図１】
2019537038.tif 000003
【図２】
2019537038.tif 000004
【図３】
2019537038.tif 000005
【図４】
2019537038.tif 000006
【図５】
2019537038.tif 000007
【図６】
2019537038.tif 000008
【図７】
2019537038.tif 000009
【国際調査報告】
2019537038.tif 000010
2019537038.tif 000011
2019537038.tif 000012
2019537038.tif 000013